(57)【特許請求の範囲】
【請求項１】
原稿の画像を読み取る読取手段と、
前記読取手段が読み取った画像に基づき記録媒体上に画像を形成する像形成手段と、
前記像形成手段による画像の形成なしに、前記読取手段が読み取った画像に基づき表示器に画像を表示するプレビュー手段と、
前記原稿のサイズを検知する第一の検知手段と、
前記記録媒体のサイズを検知する第二の検知手段とを有し、
前記プレビュー手段は、前記第一の検知手段によって検知される原稿サイズと前記表示器の表示サイズに基づき導出した変倍率の変倍処理を前記読取手段が読み取った画像に施して、前記表示器に表示する画像を生成する第一のモード、および、前記第二の検知手段によって検知される記録媒体サイズと前記表示器の表示サイズに基づき導出した変倍率の変倍処理を前記読取手段が読み取った画像に施して、前記表示器に表示する画像を生成する第二のモードを有することを特徴とする画像処理装置。
【請求項２】
さらに、前記第一または第二のモードを手動選択する選択手段を有することを特徴とする請求項1に記載された画像処理装置。
【請求項３】
原稿の画像を読み取り、前記原稿から読み取った画像に基づき記録媒体上に画像を形成または表示器に画像をプレビュー表示する機能を有する画像処理装置の制御方法であって、
前記原稿および前記記録媒体のサイズを検知し、
前記プレビュー表示を、検知された原稿サイズと前記表示器の表示サイズに基づき導出した変倍率の変倍処理を前記原稿から読み取った画像に施して、前記表示器に表示する画像を生成する第一のモード、および、検知された記録媒体サイズと前記表示器の表示サイズに基づき導出した変倍率の変倍処理を前記原稿から読み取った画像に施して、前記表示器表示する画像を生成する第二のモードの何れかで制御することを特徴とする制御方法。
【発明の詳細な説明】
【０００１】
【産業上の利用分野】
本発明は画像処理装置およびその制御方法に関し、例えば、プレビュー機能を備える画像処理装置に関する。
【０００２】
【従来の技術】
近年、複写機を初めとする画像処理装置のカラー化や、高機能化に伴い、所望の色味等、所望の編集画像を得る為に、処理後の画像を記録用紙に出力して確認するといった作業を何度も繰り返してしまう場合が多く、時間的にもコスト的にも効率が良くなかった。
【０００３】
そこで、上述した様な無駄な処理を省くために、処理後の画像を記録用紙に出力するのではなく、ＣＲＴ等の表示装置に表示させることにより画像の確認を行う、いわゆるプレビュー機能を有する画像処理装置が提案され、製品化されている。
【０００４】
従来のプレビュー機能を有する画像処理装置としては、読み取った原稿イメージをモノカラーの液晶ディスプレイを用いて表示・確認するといった装置も製品化されているが、画像処理装置本体がフルカラーによる画像処理を行う場合には、色味調整や色変換等の確認が行えない。従って、近年は表示装置もフルカラー表示可能なプレビュー機能を備える画像処理装置も提案されている。
【０００５】
図１０は、従来のプレビュー機能を備える画像処理装置において、その表示装置に表示される画像イメージの大きさと、原稿サイズとの関係を示す図である。図１０の（ａ），（ｂ），（ｃ）はそれぞれ原稿台ガラスにＡ３，Ａ４Ｒ，Ａ４サイズの原稿を載置した状態をガラスの面の下から見た様子を示しており、また、図１０の（ａ）′，（ｂ）′，（ｃ）′は、それぞれ図１０の（ａ），（ｂ），（ｃ）の状態に対応した表示装置上での表示位置及び大きさを示したものである。
【０００６】
表示装置上に表示される場合の大きさは、原稿台において読取り可能な最大サイズであるＡ３サイズが（ａ）′で表示されるような大きさとなり、Ａ４Ｒ，Ａ４サイズに関してももそれぞれＡ３サイズの場合と同一の倍率で（ｂ）′，（ｃ）′に示される様な大きさで表示される。かつ、原稿台における読み出し位置も、原稿サイズに関らず常に同じ位置が読み出される様に構成されている。
【０００７】
【発明が解決しようとする課題】
しかし、上述した技術では、原稿サイズに無関係にプレビューが表示されるため、図10(b')または(c')に示すように、表示部に、原稿以外のプラテンカバーの画像や余白部分など無駄な画像が含まれる場合がある。
【０００８】
さらに、表示画面全体に原稿の画像が表示されるわけではないから、読み込んだ原稿の画像が記録紙のどの位置に、どの程度の大きさで印刷されるかを、記録紙の大きさに応じて確認したい場合に不都合がある。
【００１５】
本発明は、上述の問題を解決するためのもので、原稿または記録媒体のサイズに基づく表示用画像を生成することを目的とする。
【００１６】
【課題を解決するための手段】
上述した目的を達成するために、本発明は以下の構成を備える。
【００１７】
本発明にかかる画像処理装置は、原稿の画像を読み取る読取手段と、前記読取手段が読み取った画像に基づき記録媒体上に画像を形成する像形成手段と、前記像形成手段による画像の形成なしに、前記読取手段が読み取った画像に基づき表示器に画像を表示するプレビュー手段と、前記原稿のサイズを検知する第一の検知手段と、前記記録媒体のサイズを検知する第二の検知手段とを有し、前記プレビュー手段は、前記第一の検知手段によって検知される原稿サイズと前記表示器の表示サイズに基づき導出した変倍率の変倍処理を前記読取手段が読み取った画像に施して、前記表示器に表示する画像を生成する第一のモード、および、前記第二の検知手段によって検知される記録媒体サイズと前記表示器の表示サイズに基づき導出した変倍率の変倍処理を前記読取手段が読み取った画像に施して、前記表示器に表示する画像を生成する第二のモードを有することを特徴とする。
【００１８】
本発明にかかる制御方法は、原稿の画像を読み取り、前記原稿から読み取った画像に基づき記録媒体上に画像を形成または表示器に画像をプレビュー表示する機能を有する画像処理装置の制御方法であって、前記原稿および前記記録媒体のサイズを検知し、前記プレビュー表示を、検知された原稿サイズと前記表示器の表示サイズに基づき導出した変倍率の変倍処理を前記原稿から読み取った画像に施して、前記表示器に表示する画像を生成する第一のモード、および、検知された記録媒体サイズと前記表示器の表示サイズに基づき導出した変倍率の変倍処理を前記原稿から読み取った画像に施して、前記表示器表示する画像を生成する第二のモードの何れかで制御することを特徴とする。
【００３７】
【実施例】
以下、本発明に係る一実施例について図面を参照して詳細に説明する。
【００３８】
＜第１実施例＞
図１は、本実施例のデジタル電子写真方式のカラー複写機の断面図である。
【００３９】
図１において、記録用紙は給紙部１１７から給紙ローラ１１８により、転写ドラム１２０の外周上に保持される。感光ドラム１００は帯電器１１２により所定の極性に均一に帯電され、レーザ部１１０から出力され、反射ミラー１１１を介したレーザビーム光Ｌによる露光によって、感光ドラム１００上に各色毎に潜像が形成される。感光ドラム１００上に形成された潜像は、各色現像器Ｄｙ，Ｄｍ，Ｄｃ，Ｄｋにより可視像化され、転写ドラム１２０外周の記録用紙に複数回転写されて、カラー画像が形成される。その後、記録用紙は転写ドラム１２０より分離爪１１４により分離され、転写されたカラー画像が定着ユニット１１５で定着され、排紙トレー１１６に排出される。尚、１１３はクリーナであり、感光ドラム１００の表面に残留した各色のトナーを除去する。また、３００は操作のための各種スイッチ及びＬＥＤ表示器等が配されている操作部である。
【００４０】
１１９は制御部であり、例えば不図示のスキャナ部からの画像データに対して各種画像処理を施し、かつ、上述した各部を制御する。
【００４１】
図２は、上述したカラー複写機における画像信号の流れを示すブロック図である。図２において、センサ部２１及びプリンタ部２８以外の構成は、上述した制御部１１９に含まれる。
【００４２】
図２において、２１は例えばＣＣＤ等の光電変換素子に色分解フィルタを付けたラインセンサ等のセンサ部であり、レッド（Ｒ），グリーン（Ｇ），ブルー（Ｂ）のＲＧＢ画像を出力する。尚、センサ部２１は、不図示のモータにより副走査方向に移動することによって、不図示の原稿をスキャンして画像を読み取ることができ、後述するプリンタ部２８で用いる色材の数に応じた回数分、原稿を繰り返しスキャンする。
【００４３】
２２はセンサ部２１から入力されたアナログＲＧＢ画像信号をデジタルＲＧＢ信号に変換するＡ／Ｄ変換部、２３はセンサ部２１における原稿読取時の光量ムラ等の特性に応じてデジタルＲＧＢ信号を補正するシェーディング補正部、２４はセンサ部２１の色分解フィルタの分光特性を補正するセンサ色補正部である。２５はセンサ色補正部２４から入力されたＲＧＢの輝度信号を、イエロー（Ｙ），マゼンタ（Ｍ），シアン（Ｃ）のＹＭＣ等の濃度信号に変換する対数変換部、２６はプリンタ部２８の色材の分光反射特性に応じてＹＭＣ等の濃度信号を補正するプリンタ色補正部である。尚、本実施例においてプリンタ部２８は１ドラム系であるため、プリンタ色補正部２６において、対数変換部２５よりパラレルに入力された画像データは、シリアルの面順次信号として出力される。
【００４４】
２７は画像編集部であり、例えばカラーバランス調整、変倍、移動、鏡像といった様々な画像編集処理を行う。これら画像編集は、全て操作部３００からの操作者の指示により設定、又は調整される。画像編集部２７に入力された画像データは、操作部３００より設定された調整値に応じて、ＲＯＭ３３に予め設定されている処理プログラムに従ってＣＰＵ３２により処理される。画像編集部２７で所望する編集が施された画像信号は、プリンタ部２８からの同期信号に合わせて色材に合った面順次の画像データをプリンタ部２８に送出し、プリンタ部２８で記録用紙上に重ね合わせて印刷することにより、所望のカラー画像が得られる。
【００４５】
尚、プリンタ部２８は基本的な数色の色材を記録用紙上で重ね合わせることによってフルカラー印刷を可能とし、その色材としては例えば本実施例においてはＹＭＣＫの４種類を用いているが、色材はこの４種類に限定されるものではない。また、プリンタ部２８の出力方式としては、電子写真方式やインクジェット方式等、どのような方式であっても良い。また、プリンタ部２８は記録用紙サイズを示すための部材が備えられた記録用紙カセットを複数有しており、操作者が操作部３００より所定の設定を行うことにより、ＣＰＵ３２が現在設定されている記録用紙サイズの情報を得ることができる様に構成されている。
【００４６】
以上が本実施例の複写機における基本的な印刷処理である。次に、本実施例におけるプレビュー機能を実現する構成について以下説明する。
【００４７】
図２において、２９は原稿サイズ検知部であり、不図示の原稿台に置かれた原稿をセンサ部２１でスキャンした際に、原稿台の読取領域内のどの位置に原稿が載置されているかを判断するための原稿端部の座標情報を検知する。３０はプレビュー制御部であり、詳細は後述するが、ＣＲＴ３１に画像情報を表示するための各種制御を行う。
【００４８】
以上説明した本実施例の複写機における各構成は、ＣＰＵ３２により統括的に制御されており、ＣＰＵ３２に接続されたＲＯＭ３３は各種制御プログラムや、固定変数等を格納しており、ＲＡＭ３４を作業領域として動作する。
【００４９】
本実施例においてプレビュー処理を行う場合には、まず読み取った原稿画像として、センサ色補正部２４の出力（２４Ｒ，２４Ｇ，２４Ｂ）がプレビュー制御部３０に入力され、後述するプレビュー処理が施された後（３０Ｒ，３０Ｇ、３０Ｂ）、ＣＲＴ３１に表示される。次に、複写機本体において所定の画像処理が施された画像信号として、画像編集部２７から出力された面順次の画像信号（２７ＹＣＭ）が、プレビュー制御部３０に入力される。そして、プレビュー制御部３０では入力されたＹＭＣの濃度情報をＲＧＢの輝度情報に変換し、ＣＲＴ３１に表示する。即ち、画像編集部２７から出力された画像データがＣＲＴ３１に表示されることになるため、プリンタ部２８へ出力された画像イメージがそのままＣＲＴ３１上に反映されることになる。
【００５０】
また、プレビュー制御部３０には原稿サイズ検知部２９により検知された原稿サイズ情報（２９Ｓ）も入力されており、従って後述するように原稿範囲を確実に把握することができる。尚、原稿台上の原稿をおさえるプラテンカバーは鏡面処理されており、原稿サイズ検知部２９においては、画像信号のＧ成分（２４Ｇ）を２値化することにより原稿とそれ以外の領域とを判定する。
【００５１】
以下、上述したプレビュー制御部３０の詳細構成を図３に示し、説明する。
【００５２】
図３において、８５は逆対数変換部であり、上述した図２に示す対数変換部２５とは逆に、ＹＭＣ等の濃度信号をＲＧＢ輝度信号に変換する。１０１は入力されるＲＧＢ信号を切り替えるゲート、８１Ｒ，８１Ｇ，８１ＢはそれぞれＲ，Ｇ，Ｂ信号に対応する先入れ先出し回路（以下、ＦＩＦＯと称する）、８２Ｒ，８２Ｇ，８２Ｂは各色に対応する画像メモリであり、表示用のビデオＲＡＭ等により構成されている。また、８３Ｒ，８３Ｇ，８３Ｂはそれぞれ各色に対応するＬＵＴ、８４Ｒ，８４Ｇ，８４ＢはＤ／Ａ変換部である。２００はディスプレイコントローラであり、入力されるＲＧＢ信号に対して後述する様に回転、移動、変倍、合成等の処理を制御する。尚、ＦＩＦＯ８１Ｒ，８１Ｇ，８１Ｂへ入力される輝度信号をそれぞれ８５Ｒ，８５Ｇ、８５Ｂとする。
【００５３】
図３において、２４Ｒ，２４Ｇ，２４Ｂは、図２のセンサ色補正部２４から出力された各色成分毎の信号、即ち、原稿画像を示す信号であり、ゲート１０１を介してＦＩＦＯ８１Ｒ，８１Ｇ，８１Ｂにそれぞれ入力される。ＦＩＦＯ８１Ｒ，８１Ｇ，８１Ｂは、装置内を高速に移動する画像データを画像メモリ８２Ｒ，８２Ｇ，８２Ｂに格納するための速度変換、及び読み取った原稿画像のサイズをＣＲＴ３１上での表示サイズに縮小変倍する為のもので、ディスプレイコントローラ２００からの制御線２０１を介して、ＣＰＵ３からの任意の設定が行える。
【００５４】
画像メモリ８２Ｒ，８２Ｇ，８２Ｂへのデータの書き込み及び読み出しは、制御線２０２を介してディスプレイコントローラ２００により制御される。本実施例において画像メモリ８２Ｒ，８２Ｇ，８２Ｂは、ＣＲＴ３１における表示用のサイズである６４０×４８０画素よりも大きい１９２０×１４４０画素の３プレーンで構成されており、各プレーンの任意の位置からの読み出し及び書き込みのみでなく、例えばＣＲＴ３１の表示サイズに合わせた縮小変倍や、回転処理を施してからの書き込み及び読み出しも、ディスプレイコントローラ２００の制御により可能となっている。尚、画像メモリのサイズはこの例に限定されるものではなく、装置によって適宜決定すれば良い。
【００５５】
ここで、図４に、本実施例において読み取った原稿画像を回転してＣＲＴ３１に表示する場合と、回転せずに表示する場合のスキャン方向を示す。
【００５６】
図４において、（ａ），（ｂ），（ｃ）が回転無しの場合のそれぞれ原稿スキャン，画像メモリ書き込み，画像メモリ読み込みの際のスキャン方向を示し、（ｄ），（ｅ），（ｆ）が回転させる場合のそれぞれ原稿スキャン，画像メモリ書き込み，画像メモリ読み込みの際のスキャン方向を示している。各図において、○印で示される箇所がそれぞれの走査開始アドレスを示し、該○印に接続されている矢印の方向が主走査方向となり、それと直角をなす矢印が副走査方向を示す。即ち、図４の（ａ），（ｄ）においてはＹが主走査方向，Ｘが副走査方向を示す。また、図４の（ｂ），（ｃ），（ｅ），（ｆ）においては、ＬがＣＲＴ３１上での表示の際の長辺長（本実施例においては１９２０ドット），Ｍが短辺長（本実施例においては１４４０ドット）を示す。
【００５７】
図４に示すように、本実施例において回転表示を行う場合には、読み取った原稿画像（ｄ）をＸ方向とＹ方向とを逆にアドレス制御することにより、回転したイメージ（ｅ）を各画像メモリ８２Ｒ，８２Ｇ，８２Ｂに書き込む。
【００５８】
更に、画像メモリ８２Ｒ，８２Ｇ，８２Ｂは、ディスプレイコントローラ２００を介してＣＰＵ３２より直接データの読み込み／書き込みを行うことも可能である。センサ部２１で読み込んだ原稿画像情報が書き込まれている各画像メモリ８２Ｒ，８２Ｇ，８２Ｂに対して、ＣＰＵ３２により文字及びマーク等の任意のパターン画像を付加することにより、画像を合成した表示を行うことも可能である。
【００５９】
図３において、８３Ｒ，８３Ｇ，８３Ｂは各色に対応したルックアップテーブル（以下、ＬＵＴ）であり、上述した図２に示すＣＲＴ３１の特性を補正する。各ＬＵＴ８３Ｒ，８３Ｇ，８３Ｂも、ディスプレイコントローラ２００を介してＣＰＵ３２より任意な補正が可能である。８４Ｒ，８４Ｇ，８４ＢはＤ／Ａ変換部であり、入力されるデジタル信号をアナログ信号に変換し、それぞれ３０Ｒ，３０Ｂ，３０ＧとしてＣＲＴ３１に送出する。尚、ディスプレイコントローラ２００からは、表示のための同期信号３０ＳもＣＲＴ３１へ送出される。
【００６０】
一方、上述した図２で示した編集処理後の面順次信号２７ＹＭＣは、逆対数変換部８５に入力され、ＲＧＢの輝度信号に変換される。そして、変換された各Ｒ，Ｇ，Ｂの信号は、上述したように各ＦＩＦＯを介して画像メモリ８２Ｒ，８２Ｇ，８２Ｂにそれぞれ格納され、ＣＲＴ３１に表示される。
【００６１】
図５に、本実施例におけるプレビュー処理におけるタイミングチャートを示す。図５の（ａ）は編集処理が施された画像信号２７ＹＭＣにより表示を行う場合のタイミングチャートを示す。図５の（ａ）において、２４Ｒ，２４Ｇ、２４Ｂはそれぞれセンサ色補正部２４から出力されたＲＧＢの輝度信号であり、８５Ｒ，８５Ｇ、８５Ｂは逆対数変換部８５において濃度信号を変換した輝度信号である。本実施例においては、信号２７ＹＭＣは面順次でプレビュー制御部３０に入力されるため、３スキャン後にＲ，Ｇ，Ｂの各信号が揃い、従って３スキャン後にＣＲＴ３１での表示が可能となる。
【００６２】
一方、図５の（ｂ）は未編集の各色画像信号２４Ｒ，２４Ｇ，２４Ｂにより表示を行う場合のタイミングチャートであり、２４Ｒ，２４Ｇ，２４Ｂはプレビュー制御部３０にパラレルに入力されるため、１スキャンのみでＣＲＴ３１において表示可能となる。
【００６３】
図６に、本実施例におけるプレビュー処理のフローチャートを示す。
【００６４】
プレビュー処理を開始するのに先だって、操作部３００から操作者により所望の編集指定が行われているものとする。また、ＣＲＴ３１に画像を表示する際に、原稿サイズで表示を行うか又は記録用紙に印刷されるサイズで表示を行うかが、操作部３００の所定のスイッチにより選択されているものとする（スイッチ１による選択）。更に、表示画像のサイズに関係なく、変倍、移動、回転を固定の設定値に従って表示するか、又は自動設定とするかが、操作部３００の所定のスイッチにより選択されているものとする（スイッチ２による選択）。更に、表示画面上に画像のサイズ値及び位置合わせの基準となるマーク等を表示するか否かが、操作部３００の所定のスイッチにより選択されているものとする（スイッチ３による選択）。尚、以上の各スイッチ１〜３による選択は、もちろん既定値を有している。また、これらスイッチは一般の操作者が設定しても良いが、保守員のみが設定可能であっても良い。
【００６５】
そして、複写開始を指示するコピーキーを押下する前に、操作部３００に備えられたプレビュースタートキーを押下することにより、プレビュー処理が開始される。
【００６６】
まずステップＳ１において、原稿台ガラスに載置された原稿のサイズを検知する為にセンサ部２１で原稿をスキャンし、図２に示す原稿サイズ検知部２９により原稿画像の主走査／副走査方向のドット数を算出する。このスキャンを、実際に記録用紙への出力を行うための本スキャンと区別するためにプリスキャンと称する。そしてステップＳ２において、操作部３００より指定された記録用紙カセットの記録用紙サイズを、プリンタ部２８より検出する。
【００６７】
そして処理はステップＳ３に進み、上述したスイッチ１により、「原稿のサイズで表示する」と設定されているか否かを判断する。「原稿のサイズで表示する」と設定されているとステップＳ５に進み、ステップＳ１で得た原稿の主走査／副走査方向のドット数をそれぞれ変数Ｙ／Ｘに設定する。一方、ステップＳ３において「記録用紙サイズで表示する」と設定されている場合はステップＳ４に進み、ステップＳ２で得た記録用紙の主走査／副走査方向のドット数をそれぞれ変数Ｙ／Ｘに設定する。
【００６８】
次にステップＳ６において、上述したスイッチ２により「変倍、移動、回転を固定の設定値に従って表示する」と設定されているか否かを判断する。各設定値は自動設定となっていれば処理はステップＳ７へ進み、原稿サイズあるいは記録用紙サイズの主走査方向長であるＹと、副走査方向長であるＸとの比較を行う。ステップＳ７において、Ｙ＞Ｘ、即ち主走査方向のドット数が副走査方向のドット数よりも大きいのであれば、表示用の各画像メモリ８２Ｒ，８２Ｇ、８２Ｂにおいても主走査方向長（Ｌ：１９２０ドット）が副走査方向長（Ｍ：１４４０ドット）よりも大きいため、画像を回転させる必要が無い。従って、ステップＳ１０に進んで回転を示すフラグをオフとする。そして、読み取った原稿画像イメージを全て表示可能とするために、画像メモリ内に収まるように縮小処理を施す必要が有る。そのための変倍率として、主走査方向のＬ／Ｙ，副走査方向のＭ／Ｘのうちのいずれか小さい方を変倍率Ｎとして採用する。そしてステップＳ１１に進み、上述した図４の（ｂ）に示すように、各画像メモリ８２Ｒ，８２Ｇ、８２Ｂへの書き込み開始アドレス（Ｌ0，Ｍ0）を（０，０）とする。
【００６９】
一方、ステップＳ７においてＹ＞Ｘが成立しない、即ち主走査方向のドット数が副走査方向のドット数以下である場合には、表示用の各画像メモリ８２Ｒ，８２Ｇ、８２Ｂにおける主走査方向長（Ｌ：１９２０ドット）と副走査方向長（Ｍ：１４４０ドット）の大小関係と一致しないため、画像を回転させる必要がある。従って、ステップＳ８に進んで回転を示すフラグをオンとする。また、表示の際の主走査方向のＬ／Ｘ，副走査方向のＭ／Ｙのうちのいずれか小さい方を変倍率Ｎとして採用する。そしてステップＳ９に進み、上述した図４の（ｅ）に示すように、各画像メモリ８２Ｒ，８２Ｇ、８２Ｂへの書き込み開始アドレス（Ｌ0，Ｍ0）を（１９１９，０）とする。
【００７０】
一方、ステップＳ６において変倍、移動、回転の各設定値が固定値である場合には、処理はステップＳ１２へ進む。ステップＳ１２においては回転を示すフラグをオンとし、複写可能な最大サイズであるＡ３サイズが表示できる様に、変倍率Ｎとして、Ｌ／Ｘ（ＸはＡ３サイズにおける長辺方向のドット数）を設定する。また、画像メモリ８２Ｒ，８２Ｇ、８２Ｂへの書き込み開始アドレス（Ｌ0，Ｍ0）を（１９１９，０）とする。
【００７１】
尚、ステップＳ９，Ｓ１１及びＳ１３において書き込み開始アドレスを設定することにより、画面上の最適な位置にプレビュー画像が表示されるように、移動される。
【００７２】
そして処理はステップＳ１４に進み、ＣＰＵ３２は以上の計算結果をディスプレイコントローラ２００に設定し、センサ部２１により原稿画像をスキャンし、読み取った画像を設定した各パラメータに応じて各画像メモリ８２Ｒ，８２Ｇ、８２Ｂに格納する。
【００７３】
次にステップＳ１５において、上述したスイッチ３により、表示画面上に画像のサイズ値及び位置合わせの基準となるマーク等を表示するか否かを判断し、表示すると設定されているのであればステップＳ１６に進む。尚、この場合の画像サイズは、スイッチ１による設定に従って、原稿サイズ又は記録用紙サイズを表示することになる。
【００７４】
ステップＳ１６において、ＣＰＵ３２は主走査方向Ｙ及び副走査方向Ｘのドット数を原稿サイズに変換して、画像メモリ８２Ｒ，８２Ｇ、８２Ｂ上の所定位置に例えば「Ａ４」という様に書き込む。更に、画像メモリへの書き込み開始アドレスに対応する位置に、基準位置であることを示すマークを、同様に書き込む。
【００７５】
一方、ステップＳ１５において、画像のサイズ値及び基準位置マークを表示しないと設定されているのであれば、ステップＳ１６をスキップしてプレビュー処理を終了する。
【００７６】
このようにしてプレビュー処理が終了すると、操作部３００より操作者がコピーキーを押下することにより、本スキャンが開始され、実際に記録用紙上にプレビュー画像と同様の画像が出力される。
【００７７】
以上説明したようにして、ＣＲＴ３１の表示領域に最も効率の良い大きさで編集処理後の原稿画像を表示することができる。
【００７８】
図７及び図８に、以上のプレビュー処理における表示例を示す。図７の（ａ）〜（ｃ）は原稿台上の原稿画像を示し、黒三角印が原稿つき当て位置を示し、Ｙが主走査方向長、Ｘが副走査方向長を示す。また、（ａ）が本実施例において処理可能な最大原稿サイズ（Ａ３）である。図７の（ａ）′〜（ｃ）′は、上述した図７の（ａ）〜（ｃ）をそれぞれプレビュー処理したＣＲＴ３１における表示結果を示す。図７の（ａ）′〜（ｃ）′は長辺Ｌドット、短辺Ｍドットからなり、黒三角印及びＸ，Ｙはそれぞれ図７の（ａ）〜（ｃ）と同様である。
【００７９】
図７の（ａ）に示す原稿画像のプレビュー処理は、上述した図６のフローチャートに示すステップＳ１２〜Ｓ１３の処理を示し、図７の（ｂ）はステップＳ８〜Ｓ９，図７の（ｃ）はステップＳ１０〜Ｓ１１の処理を示す。
【００８０】
また、図８はステップＳ１６における処理結果を示し、原稿サイズ値及び基準位置マーク（つき当て位置マーク）を画像上に付加して表示した例である。
【００８１】
以上説明したように本実施例によれば、編集処理後の画像データを表示することにより、実際に出力される画像により忠実なプレビュー画像を確認することができ、更に、原稿サイズ及び表示画面サイズから、画像の移動、変倍、回転を自動的に制御することにより、操作者が最も確認しやすいように表示を行うことが可能となる。
【００８２】
又、変倍及び回転に伴い、出力される画像のサイズ値とつき当て基準位置を示すマークを画像に合成して表示することにより、画像サイズ及び天地左右の確認が容易となる。
【００８３】
＜第２実施例＞
以下、本発明に係る第２実施例について説明する。
【００８４】
上述した第１実施例においては、プリンタ部２８が１ドラム系であり、従ってプリンタ部２８へ送出する画像信号が各色毎の面順次信号である場合について説明を行ったが、第２実施例においては、４ドラム系のプリンタを備える場合に本発明を適用した例について説明する。
【００８５】
図９に、第２実施例に係るカラー複写機のブロック構成を示す。図９において、上述した第１実施例と同様の構成には同一番号を付し、説明を省略する。図９においては、プリンタ色補正部９１でプリンタ９３の色材の分光反射特性に応じてＹＭＣの濃度信号を補正し、プリンタ９３が備えるドラム数に応じて、ＹＭＣ及びＫ（ブラック）の４信号をパラレルに送出する。そして、画像編集部９２においても４色分の信号をパラレルに処理し、プリンタ９３へ出力すると同時に、Ｙ，Ｍ，Ｃの３色信号のみをプレビュー制御部９４に送出する。
【００８６】
プリンタ９３では、各信号に適当な遅延を施すことにより各ドラム間の物理的な距離の差を吸収し、記録用紙の搬送タイミングに同期を取って各色の印刷を行う。
【００８７】
一方、第２実施例におけるプレビュー制御部９４の詳細構成は、上述した第１実施例の図３に示す構成とほとんど同一であり、図３において入力される濃度信号２７ＹＭＣが、第２実施例においてはそれぞれ９２Ｙ，９２Ｍ，９２Ｃ毎に独立した信号線として逆対数変換部８５に入力される。
【００８８】
従って第２実施例によれば、上述した第１実施例の図５の（ｂ）に示したのと同様のタイミングで編集後の画像を表示することが可能となる。即ち、最終画像が面順次でなく、ＹＭＣ同時に画像メモリに格納することができるため、１スキャンのみでプレビュー画像を表示することが可能となり、処理時間の高速化が実現できる。
【００８９】
＜第３実施例＞
以下、本発明に係る第３実施例について説明する。
【００９０】
上述した第２実施例においては、ＹＭＣＫによる印刷を行うため、図９に示すプリンタ色補正部９１において公知の下色除去（ＵＣＲ）処理を施してから、Ｋ信号を出力している。従って、第２実施例においてプレビュー制御部９４に９２Ｙ、９２Ｍ、９２Ｃ信号をそのまま出力すると、既にＵＣＲ処理が施されているために、実際に印刷される画像よりもグレー部の濃度が薄くなり、ＣＲＴ３１において最適なプレビュー表示が行えなくなってしまう。
【００９１】
そこで第３実施例においては、プレビュー処理のためのセンサ部２１のスキャン時には、プリンタ色補正部９１におけるＵＣＲ処理を行わないように設定し、プレビュー表示終了後の、実際に記録用紙に出力するための本スキャン時において、ＵＣＲ処理を行う様に設定する。
【００９２】
以上説明したように第３実施例によれば、より出力画像に忠実なプレビュー画像の表示が可能となる。
【００９３】
＜第４実施例＞
以下、本発明に係る第４実施例について説明する。
【００９４】
上述した第１実施例においては、画像サイズや基準位置を示すために、ＣＲＴ３１に表示されるプレビュー画像を表示するための画像メモリ上に、画像サイズを示す数値や、基準位置を示すマーク等を書き加える例について説明した。
【００９５】
第４実施例においては、各色毎の画像メモリ８２Ｒ，８２Ｇ，８２Ｂとは異なる１プレーン分の付加メモリを更に設け、付加する画像サイズ値や基準位置マークを、この付加メモリに書き込み、全メモリを合成してＣＲＴ３１への表示を行う様に構成する。
【００９６】
従って第４実施例によれば、ＣＲＴ３１への表示時に、画像メモリ８２Ｒ，８２Ｇ，８２Ｂに格納されている画像データの格納アドレスに対応して、読み出しの開始アドレスを決定して読み出しを行なっても、画像サイズと基準位置マークとは１プレーン分の付加メモリの固定アドレスに格納されているため、常に定位置に表示される。従って操作者にとって視認しやすく、より高い操作性が得られる。もちろん、該付加メモリには、画像サイズや基準位置マークのみでなく、他の情報を書き込むことも可能である。また、付加メモリは必ずしも１プレーン分の容量を備えなくても良い。
【００９７】
尚、以上説明した各実施例においてはカラー複写機における本発明の適用例について説明を行ったが、本発明はもちろんこの限りではなく、例えばファクシミリ装置や、コンピュータと接続されたプリンタ装置等、画像の編集処理を行う画像処理装置全てについて適用可能である。
【００９８】
また、カラーの画像処理装置のみならず、モノクロの画像処理装置についても、特にプレビュー画像の画面上における表示位置の決定方法等は適用可能である。
【００９９】
尚、本発明は、複数の機器から構成されるシステムに適用しても、１つの機器から成る装置に適用しても良い。
【０１００】
また、本発明はシステム或は装置にプログラムを供給することによって達成される場合にも適用できることはいうまでもない。
【０１０１】
上述した実施形態によれば、原稿画像に対して編集処理を施した後にプレビュー表示を可能にしたことで、編集済みの画像によって忠実なプレビュー画像を得ることができる。さらに、画像サイズと表示用の画面サイズにより、自動的に移動、変倍、回転処理を行うことで、操作者に最適な大きさ、方向の表示を行うことができる。
【０１０２】
また、変倍および回転に伴い、出力される画像のサイズ値と突き当て基準位置を示すマークを画像に合成して表示することで、画像のサイズおよび天地左右の確認が容易になる。
【０１０３】
【発明の効果】
以上説明したように、本発明によれば、原稿または記録媒体のサイズに基づく表示用画像を生成することができる。
【０１０５】
【図面の簡単な説明】
【図１】本発明に係る一実施例におけるカラー複写機の断面図である。
【図２】本実施例における画像処理部の構成を示すブロック図である。
【図３】本実施例におけるプレビュー制御部の詳細構成を示すブロック図である。
【図４】本実施例における回転処理を説明するための図である。
【図５】本実施例におけるプレビュー表示のタイミングチャートである。
【図６】本実施例におけるプレビュー処理を示すフローチャートである。
【図７】本実施例におけるプレビュー表示例を示す図である。
【図８】本実施例における付加情報を合成した表示例を示す図である。
【図９】本発明に係る第２実施例における画像処理部の構成を示すブロック図である。
【図１０】従来のプレビュー処理を説明するための図である。
【符号の説明】
２１  センサ部
２２  Ａ／Ｄ変換部
２３  シェーディング補正部
２４  センサ色補正部
２５  対数変換部
２６  プリンタ色補正部
２７  画像編集部
２８  プリンタ部
２９  原稿サイズ検知部
３０  プレビュー制御部
３１  ＣＲＴ
３２  ＣＰＵ
３３  ＲＯＭ
３４  ＲＡＭ
８５  逆対数変換部
２００  ディスプレイコントローラ
【図１】
0003740183.tif 000002
【図２】
0003740183.tif 000003
【図３】
0003740183.tif 000004
【図４】
0003740183.tif 000005
【図５】
0003740183.tif 000006
【図６】
0003740183.tif 000007
【図７】
0003740183.tif 000008
【図８】
0003740183.tif 000009
【図９】
0003740183.tif 000010
【図１０】
0003740183.tif 000011